(57)【要約】【課題】  低レベルの放射線を扱う医療機関等の施設で人体への被曝量を抑制するために用いることが可能であり、特にＰＥＴ検査における待機室において個々の受診者を他の受診者から放射線遮蔽状態で隔離すること、医療従事者の被曝を低減することが可能な自立型の放射線遮蔽パネル装置を提供する。【解決手段】  両側に立設した支柱及びその支柱間に、鉛板等のガンマ線の遮蔽に十分な所定板厚の放射線遮蔽板６を有して内外を遮断するように設けてなるパネル板を設け、支柱を介して側方へ直線状及び屈曲状に連設可能な構成で、複数連設して平面視Ｌ字状、Ｔ字状又はコ字状等の少なくとも一部に開口を設けた自立可能なパネル構造体とした。【選択図】        図２
2006275610.tif 000002
【特許請求の範囲】
【請求項１】
両側に立設した支柱及びその支柱間に、鉛板等のガンマ線の遮蔽に十分な所定板厚の放射線遮蔽板を有して内外を遮断するように設けてなるパネル板を設け、支柱を介して側方へ直線状及び屈曲状に連設可能な構成で、複数連設して平面視Ｌ字状、Ｔ字状又はコ字状等の少なくとも一部に開口を設けた自立可能なパネル構造体としたことを特徴とする放射線遮蔽パネル装置。
【請求項２】
両側に立設した支柱の表裏両面側に間隔を置いて内パネル板と外パネル板を着脱可能に取付け、前記両側支柱及び内パネル板と外パネル板との間の空間内に前記放射線遮蔽板を設けてなる請求項１記載の放射線遮蔽パネル装置。
【請求項３】
所定板厚の前記放射線遮蔽板を、前記内パネル板と外パネル板とに無関係に、前記支柱に保持金具を用いて取付けてなる請求項２記載の放射線遮蔽パネル装置。
【請求項４】
合計すれば所定板厚以上になる複数枚の放射線遮蔽板を用い、放射線遮蔽板の少なくとも一枚を前記内パネル板又は外パネル板の裏面に直接貼り合せて一体化するとともに、他の放射線遮蔽板を前記内パネル板と外パネル板との間の空間内で前記支柱に保持金具を用いて取付け又は他方の前記内パネル板又は外パネル板の裏面に直接貼り合せて一体化し、あるいは他の放射線遮蔽板を前記内パネル板と外パネル板との間の空間内で前記支柱に保持金具を用いて取付け、更に他方の前記内パネル板又は外パネル板の裏面に直接貼り合せて一体化してなる請求項２記載の放射線遮蔽パネル装置。
【請求項５】
前記支柱は、内部が中空の杆体であり、前記内パネル板と外パネル板との間の空間内に臨む一面の一部に開口部を有し、前記放射線遮蔽板を該開口部から支柱の内部空間を遮断するように取付けてなる請求項２〜４何れかに記載の放射線遮蔽パネル装置。
【請求項６】
前記内パネル板と外パネル板の間の空間内に情報伝達手段を設け、該内パネル板と外パネル板の一方をガラスパネル板とし、該ガラスパネル板を通して情報伝達手段の表示部が見えるように設定してなる請求項２〜５何れかに記載の放射線遮蔽パネル装置。
【発明の詳細な説明】
【技術分野】
【０００１】
本発明は、放射線遮蔽パネル装置に係わり、更に詳しくは低レベルの放射線を扱う医療機関等の施設で人体への被曝量を抑制するための放射線遮蔽パネル装置に関するものである。
【背景技術】
【０００２】
近年、癌の検査には、Ｘ線ＣＴやＭＲＩと共にＰＥＴが使用されることが多くなった。ＰＥＴとは、陽電子放射断層撮影装置（ポジトロン・エミッション・トモグラフィ）の略で、Ｘ線ＣＴやＭＲＩが、癌などの「大きさや形」をとらえるのに対して、ＰＥＴ検査は癌細胞などの「高まった代謝状態」をとらえる新しい検査で、数ミリ程度の小さな癌病巣も検出できることから、今後益々普及することが予想される。
【０００３】
ＰＥＴ検査は、癌細胞が通常細胞に比べて約３〜８倍のブドウ糖を消費する性質があることを利用し、ブドウ糖に似た検査薬（ＦＤＧ）を体内に注入し、ＦＤＧから放出された陽電子が周囲の電子と結合して対消滅するときに放出するガンマ線を検出し、その強度分布を画像化し、従来検査では発見が難しかった小さな癌を検出するものである。具体的には、受診者にＦＤＧを注射した後、ＦＤＧが全身に回るまで５０分〜１時間程度かかるので、その間安静に待機する必要がある。ＰＥＴ検査そのものは２０分〜３０分程度で終わるが、ＦＤＧから放出される陽電子が十分に少なくなるまで待機する必要がある。
【０００４】
ＰＥＴ検査による放射線量は、一回あたり約２〜４ｍＳｖ（ミリシーベルト）で、一年間の自然放射線の線量（約２．４ｍＳｖ）と同程度であるが、ガンマ線は透過性が高い放射線であるので、何らかの放射線遮蔽手段を講じなければ、身体を貫通して放出されたガンマ線で近くに居る他人を被曝することになる。従って、従来は待機室を放射線遮蔽壁で囲まれた個室にしていたが、これは非常に不経済、非効率的である。特に、ＰＥＴ検査は、半減期が短い陽電子放出核種を使用する性質上、まとめて多数人の受診者を次々に検査することが経済性の観点から望まれるが、個室様待機室の数によって受診者数が制限されているのが現状である。
【０００５】
一方、従来の放射線医療診断用の待合施設では、軽量固定間仕切り又はコンクリート構造であり、工事が大掛かりで、現場施工も特殊技能が必要で、複数業者による工事となり、工程管理や工期の長期化の原因となっていた。従来、放射線遮蔽パーティションでは、片面仕上げした間仕切りの下地組み側に鉛板等の放射線遮蔽板を貼り付け、新たに下地組みを行い他方の仕上げを行う大掛かりな工事になっていた。また、受診者がナースコール又は受診者の入室誘導案内装置としては特になく、また露出型の案内又は表示装置をブース内に設置していた。
【０００６】
尚、本出願人は、特許文献１、２で床面と天井間を塞ぐ間仕切壁において、導電性の壁パネルを同じく導電性の天レール、地レール及び支柱で支持するとともに、各部材間の隙間を導電性のガスケットやテープで塞いだ電磁波シールド壁を提案している。しかし、この電磁波シールド壁は、単に電気的に繋ぎ目のない導電面を構成するだけのものであり、透過性の高いガンマ線に対しては殆ど遮蔽効果がないものである。
【特許文献１】特開２００１−３６２８１号公報
【特許文献２】特開２００２−７０２０２号公報
【発明の開示】
【発明が解決しようとする課題】
【０００７】
そこで、本発明が前述の状況に鑑み、解決しようとするところは、低レベルの放射線を扱う医療機関等の施設で人体への被曝量を抑制するために用いることが可能であり、特にＰＥＴ検査における待機室において個々の受診者を他の受診者から放射線遮蔽状態で隔離することが可能な自立型の放射線遮蔽パネル装置を提供する点にある。
【課題を解決するための手段】
【０００８】
本発明は、前述の課題解決のために、両側に立設した支柱及びその支柱間に、鉛板等のガンマ線の遮蔽に十分な所定板厚の放射線遮蔽板を有して内外を遮断するように設けてなるパネル板を設け、支柱を介して側方へ直線状及び屈曲状に連設可能な構成で、複数連設して平面視Ｌ字状、Ｔ字状又はコ字状等の少なくとも一部に開口を設けた自立可能なパネル構造体とした放射線遮蔽パネル装置を構成した（請求項１）。
【０００９】
更に具体的には、両側に立設した支柱の表裏両面側に間隔を置いて内パネル板と外パネル板を着脱可能に取付け、前記両側支柱及び内パネル板と外パネル板との間の空間内に前記放射線遮蔽板を設けてなることが好ましい（請求項２）。
【００１０】
ここで、所定板厚の前記放射線遮蔽板を、前記内パネル板と外パネル板とに無関係に、前記支柱に保持金具を用いて取付けてなる（請求項３）。
【００１１】
また、合計すれば所定板厚以上になる複数枚の放射線遮蔽板を用い、放射線遮蔽板の少なくとも一枚を前記内パネル板又は外パネル板の裏面に直接貼り合せて一体化するとともに、他の放射線遮蔽板を前記内パネル板と外パネル板との間の空間内で前記支柱に保持金具を用いて取付け又は他方の前記内パネル板又は外パネル板の裏面に直接貼り合せて一体化し、あるいは他の放射線遮蔽板を前記内パネル板と外パネル板との間の空間内で前記支柱に保持金具を用いて取付け、更に他方の前記内パネル板又は外パネル板の裏面に直接貼り合せて一体化してなることも好ましい（請求項４）。
【００１２】
そして、前記支柱は、内部が中空の杆体であり、前記内パネル板と外パネル板との間の空間内に臨む一面の一部に開口部を有し、前記放射線遮蔽板を該開口部から支柱の内部空間を遮断するように取付けてなることがより好ましい（請求項５）。
【００１３】
更に、前記内パネル板と外パネル板の間の空間内に情報伝達手段を設け、該内パネル板と外パネル板の一方をガラスパネル板とし、該ガラスパネル板を通して情報伝達手段の表示部が見えるように設定してなることも好ましい（請求項６）。
【発明の効果】
【００１４】
以上にしてなる請求項１に係る発明の放射線遮蔽パネル装置は、両側に立設した支柱及びその支柱間に、鉛板等のガンマ線の遮蔽に十分な所定板厚の放射線遮蔽板を有して内外を遮断するように設けてなるパネル板を設け、支柱を介して側方へ直線状及び屈曲状に連設可能な構成で、複数連設して平面視Ｌ字状、Ｔ字状又はコ字状等の少なくとも一部に開口を設けた自立可能なパネル構造体としたことにより、本来何もない室内に放射線遮蔽機能を備えた複数のブースを簡単に設けることができ、ブース内外に対してガンマ線を遮断することができ、従来の放射線遮蔽室のように壁面に鉛板を貼り付ける特殊な作業が不要であるので、施工、組立が容易である。特に、ＰＥＴ検査は、Ｘ線ＣＴやＭＲＩと異なり、受診者の体内からガンマ線を放出させるといったこれまでにない新しい検査法であるため、個々の受診者を他の受診者から放射線遮蔽状態で隔離することが必要であるが、比較的広い待機室を簡易な放射線遮蔽パネル装置で区画したブースでそれを実現できるのである。つまり、ガンマ線は非常に直進性、透過性が高い性質を有するので、各受診者間に放射線遮蔽板が存在する幾何学的な配置が実現できれば、ガンマ線は放射線遮蔽板に吸収されて、他の受診者や医療従事者が被曝することを防止できるのである。
【００１５】
請求項２によれば、両側に立設した支柱の表裏両面側に間隔を置いて内パネル板と外パネル板を着脱可能に取付け、前記両側支柱及び内パネル板と外パネル板との間の空間内に前記放射線遮蔽板を設けてなるので、施工が容易であるとともに、外観性にも優れたものとなる。
【００１６】
請求項３によれば、内パネル板と外パネル板の一方を両支柱に取付けた後、放射線遮蔽板を該支柱に保持金具を用いて取付け、最後に残った他方のパネル板を両支柱に取付けるだけであるので、施工、組立が非常に簡単であり、またパネル板と関係なく支柱に取付けることでパネル板を取付ける前に簡単に作業でき、取付強度も高くなる。
【００１７】
請求項４によれば、合計すれば所定板厚以上になる複数枚の放射線遮蔽板に分割したので、放射線遮蔽板として比重の大きな鉛板を用いた場合でも、構成部材の重量が必要以上に重くならないので施工作業が容易になり、また予め放射線遮蔽板をパネル板の裏面に直接貼り合せて一体化するので、放射線遮蔽板の貼付作業及びパネル取付作業が簡単になる。
【００１８】
請求項５によれば、支柱の内部にも放射線遮蔽板を設けることができるので、放射線（ガンマ線）の遮蔽効果を高めることができるのである。
【００１９】
請求項６によれば、情報伝達手段の表示部に表示された情報によって、放射線を発する受診者がむやみにブース外へ出たり、医療従事者が待機室あるいは待合室内に出入することなく受診者に診療順番、経路等を確実に伝達することができ、しかも情報伝達手段が内パネル板と外パネル板との間の空間内に内蔵されているので、邪魔になることがないのである。
【発明を実施するための最良の形態】
【００２０】
次に、添付図面に示した実施形態に基づき、本発明を更に詳細に説明する。図１は本発明の放射線遮蔽パネル装置を用いた施工例を示し、図２〜図６は本発明の放射線遮蔽パネル装置の第１実施形態を示し、図中Ａは、ローパーティションを構成する単位間仕切パネル、Ｂは複数の単位間仕切パネルＡで構成されたパネル構造体、１は支柱、２は巾木、３は上部連結杆、４は内パネル板、５は外パネル板、６は放射線遮蔽板、７は笠木、８は側カバーをそれぞれ示している。本実施形態では、ＰＥＴ検査の待機室に適用するためガンマ線の遮蔽について説明するが、ガンマ線よりも透過能力が低いＸ線にも同様に適用できるものである。
【００２１】
まず、本発明の概略を図１に基づいて説明する。放射線遮蔽機能を有する複数の単位間仕切パネルＡを、支柱を介して側方へ直線状及び屈曲状に連設して、平面視コ字状の自立可能なパネル構造体Ｂを構成する。そして、複数の前記パネル構造体Ｂを整列させて複数のブースを形成するのであるが、それには例えば一のパネル構造体Ｂの開口Ｃに面する側に、通路となる空間Ｄを置いて他のパネル構造体Ｂの直線状部分を位置させ、二つのパネル構造体Ｂを組み合わせて一つのブースを形成する。その他にも、平面視Ｌ字状やＴ字状の複数のパネル構造体Ｂを整列させて他の形態のブースを形成することも可能である。
【００２２】
以下に図２〜図６に基づいて本発明の放射線遮蔽パネル装置を具体的に説明する。第１実施形態の放射線遮蔽パネル装置は、複数の支柱１，…を、床面に平面視Ｌ字形、Ｔ字状又はコ字形に施設した巾木２の上にアジャスター９を介して立設するとともに、隣接する支柱１，１の上端間に上部連結杆３を連結してフレーム構成し、両側に立設した支柱１，１の表裏両面側に間隔を置いて内パネル板４と外パネル板５を着脱可能に取付けるとともに、前記両側支柱１，１及び内パネル板４と外パネル板５との間の空間１０内に、鉛板等のガンマ線の遮蔽に十分な所定板厚の放射線遮蔽板６を、内外を遮断するように設けたものである。ここで、前記両側の支柱１，１、上部連結杆３、内外パネル板４，５、巾木２及び笠木７とでローパーティションからなる単位間仕切パネルＡを構成している。そして、複数の前記単位間仕切パネルＡを、前記支柱１を介して側方へ直線状及び屈曲状に連設して平面視Ｌ字状、Ｔ字状又はコ字状等の少なくとも一部に開口を設けた自立可能なパネル構造体とするのである。図示したものは、平面視Ｌ字形に連結したパネル構造体を示している。
【００２３】
病院等の医療機関において、ＰＥＴ検査を行うための待機室を各受診者毎に独立したブースを構成するには、前述の平面視Ｌ字状、Ｔ字状又はコ字状等の少なくとも一部に開口を設けた自立可能なパネル構造体を規則的に配列して、あるブースの開口に面して他のブースの直線状部分が位置するように配置することで、各受診者の間に必ず放射線遮蔽板６が存在するようになる。従って、ブース内に待機中の受診者から放出されるガンマ線は、該ブースを構成する単位間仕切パネルＡの放射線遮蔽板６あるいは隣接する他のブースを構成する単位間仕切パネルＡの放射線遮蔽板６を透過する間にエネルギーが吸収され、減衰するので、他の受診者を被曝させることを防止できるのである。尚、前記単位間仕切パネルＡの各構成部材は、基本的にはスチール板で形成することが好ましい。つまり、ガンマ線はスチール板によっても多少減衰するので、所定厚さの鉛板からなる放射線遮蔽板６と共に遮蔽機能を果たすのである。
【００２４】
更に詳しくは、前記支柱１は、図３、図５及び図６に示すように、スチール製で内部が中空の杆体であり、前記内パネル板４と外パネル板５との間の空間１０内に臨む一面の一部に開口部１１を有するものである。そして、前記支柱１の下端にはアジャスター９のアジャスター受け９Ａを取付け、該アジャスター受け９Ａの下端に螺合したアジャスターボルト９Ｂを、断面略コ字形で凹溝１２を上方に向けて床面に固定した前記巾木２の底面に載置するとともに、前記アジャスター受け９Ａを前記巾木２の凹溝１２内に位置させている。また、図５及び図６に示すように、前記支柱１の前後面は下方へ延設した固定片１３，１３となっており、該固定片１３，１３は前記巾木２の外側面に位置し、所定位置に支柱１を設定した状態で、該固定片１３，１３を巾木２にネジ止め固定する。
【００２５】
そして、図４に示すように、隣接する両側支柱１，１の上端部間に前記上部連結杆３を連結して強度の高いフレーム構造を形成する。具体的には、前記支柱１の連結側の上端部に連結金具１４をネジ止めするとともに、該連結金具１４に上部連結杆３の端部を載せ、ネジ止め連結している。ここで、前記上部連結杆３は、本実施形態では支柱１と同様な杆体を用い、開口部を他の断面コ字形杆体で覆った状態でネジ止め連結して、一体形状の四角パイプと同等の杆体としている。尚、前記笠木７は、前記上部連結杆３に一対の嵌合片１５，１５を前後から挟持した状態で嵌着される。
【００２６】
前記内パネル板４と外パネル板５とは、係止具１６，…にて支柱１に直接又は保持金具１７を介して着脱可能に取付けることができる構造となっている。このパネル板の取付構造は従来公知の構造を採用できる。本実施形態では、前記内パネル板４を裏面に石膏ボードの芯材１８を貼着した通常構造のスチールパネル板とし、前記外パネル板５をガラス板１９の周囲に保持枠２０を取付けたガラスパネル板としている。前記内パネル板４は、前記支柱１の前後面に上下一定間隔毎に形成した係止孔（図示せず）を利用し、該係止孔に係止具１６を係止するとともに、該係止具１６に前記内パネル板４の両側縁の折返片２１，２１に形成した係止孔（図示せず）に係止して装着する。前記外パネル板５は、両側の保持枠２０，２０を、前記支柱１にネジ止めした平面視コ字形の保持金具１７の一方の保持片１７Ａに前記係止具１６を用いて前記同様に着脱可能に取付けている。尚、前記支柱１の開口部１１側に取付ける保持金具１７は、両保持片１７Ａ，１７Ｂの幅が広く、本体部を該開口部１１から挿入して対向面にネジ止めし、該支柱１から側方へ突出した保持片１７Ａにガラスパネル板の保持枠２０を取付ける。他方、前記支柱１の反対側の側面には両保持片１７Ａ，１７Ｂの幅が狭い保持金具１７をネジ止めし、前記同様に保持片１７Ａにガラスパネル板の保持枠２０を取付ける。
【００２７】
そして、図３及び図４に示すように、所定板厚の前記放射線遮蔽板６を、前記内パネル板４と外パネル板５とに無関係に、前記支柱１，１に保持金具１７，１７を用いて取付ける。前記放射線遮蔽板６は、例えば厚さ３ｍｍの鉛板であり、直接両支柱１，１間に直接取付けると変形するので、裏面に厚さ５ｍｍのフレキシボード２２を貼着した複合ボード６Ａを、両支柱１，１に取付けた前記保持金具１７，１７の保持片１７Ｂ，１７Ｂにネジ止めする。また、前記保持金具１７，１７の保持片１７Ｂ，１７Ｂには、略一面に厚さ厚さ３ｍｍの鉛板からなる放射線遮蔽板６を接合し、前記複合ボード６Ａをネジ止めする際に同時にネジ止めしている。この放射線遮蔽板６は、支柱１の開口部１１から内部空間に進入し、前記複合ボード６Ａでカバーしきれない部分をガンマ線から遮断するようになっている。また、前記複合ボード６Ａの下端は、図４に示すように、前記巾木２の凹溝１２内の底面まで延びている。ここで、前記複合ボード６Ａは、前記外パネル板５をガラスパネル板としたことによる不具合を解消する働き、つまり前記内パネル板４の裏面を隠す化粧板の働きもする。また、前記ガラス板１９として鉛ガラスを用いれば、半透明であるが透光性を確保しつつガンマ線に対する遮蔽効果を高めることができる。
【００２８】
また、図３に示すように、単位間仕切パネルＡ，Ａを直角に連結するコーナー部では、直線状に連結した単位間仕切パネルＡの端部の支柱１は、横幅が狭いものを用い、連結する他の単位間仕切パネルＡの内パネル板４と側カバー８間に形成された目地部を利用して前記横幅が狭い支柱１を対応する支柱１の側面にネジ止めして連結する。
【００２９】
次に、図７〜図９は、本発明の第２実施形態を示し、本実施形態では、内パネル板４と外パネル板５とも裏面に石膏ボードの芯材１８を貼着した通常構造のスチールパネル板としている。そして、前記同様に前記両側支柱１，１及び内パネル板４と外パネル板５との間の空間１０内に、鉛板等のガンマ線の遮蔽に十分な所定板厚の放射線遮蔽板６を設ける。この場合、前記内パネル板４と外パネル板５とは、前記支柱１，１の前後面に直接係止具１６，…を用いて取付けるので、前記保持金具１７は放射線遮蔽板６を取付ける機能のみあれば良いので、一方の前記保持片１７Ａを省略した平面視Ｌ字形の形状のものにしている。その他の構成は、前記同様であるので、同一構成には同一符号を付してその説明は省略する。
【００３０】
次に、図１０〜図１２は、本発明の第３実施形態を示し、本実施形態では、内パネル板４と外パネル板５とも裏面に石膏ボードの芯材１８を貼着した通常構造のスチールパネル板とし、それぞれの石膏ボード１８も裏面に厚さ１．５ｍｍの鉛板からなる放射線遮蔽板６を直接貼り合せて一体化した構造のものを用い、前記内パネル板４と外パネル板５とを両側支柱１，１に取付けると同時に、内パネル板４と外パネル板５との間の空間１０に合計厚さが３ｍｍの放射線遮蔽板６が設けられるのである。尚、前記支柱１には、第２実施形態と同様に、平面視Ｌ字形の保持金具１７，１７が取付けてあり、その保持片１７Ｂに厚さ３ｍｍの鉛板からなる放射線遮蔽板６を略一面に取付けている。この場合、前述のように重量の重い複合ボード６Ａを用いないので、施工時の作業が楽になり、また工数も減るので作業効率が向上する。
【００３１】
本実施形態では、前述のような複合ボード６Ａを用いないので、前記巾木２の凹溝１２内にも放射線遮蔽機能を持たせる必要がある。それには、前記巾木２の凹溝１２内に該凹溝１２の横幅よりも狭い断面コ字形の内挿部材２３を挿入するとともに、該巾木２と内挿部材２３の間の隙間に厚さ１．５ｍｍの鉛板からなる放射線遮蔽板６をそれぞれ挟み込んで保持している。尚、前記内パネル板４と外パネル板５の下端部で、芯材１８が存在しない下端部には、表面板の裏面に厚さ１．５ｍｍの鉛板からなる放射線遮蔽板６を直接貼着している。
【００３２】
また、複数の薄い放射線遮蔽板６，…を用いて、放射線遮蔽機能を分割する場合、更に放射線遮蔽板６を設ける位置に対する態様は増える。例えば、第３実施形態では、内パネル板４と外パネル板５の両方に薄い放射線遮蔽板６を貼着したが、一方のパネル板のみに放射線遮蔽板６を貼着し、第１、第２実施形態と同様であるが薄い鉛板からなる放射線遮蔽板６をフレキシボード２２に貼着した複合ボード６Ａを用いて、内外パネル板４，５間の空間１０に保持金具１７，１７を用いて取付けることも可能である。この場合、放射線遮蔽板６を貼着しない外パネル板５を第１実施形態と同様にガラスパネル板とすることが可能であり、前記複合ボード６Ａは内パネル板４の裏面を隠す化粧板の働きもする。更に、内外パネル板４，５の裏面に薄い放射線遮蔽板６をそれぞれ貼着したものを用いるとともに、遮蔽対象となる放射線量に応じて更に内外パネル板４，５間の空間１０に第２実施形態と同様に複合ボード６Ａを保持金具１７，１７で取付けることも可能である。何れにしても、前記内パネル板４と外パネル板５を通過するガンマ線の通過経路において放射線遮蔽板６の合計厚さが、ガンマ線の遮蔽に要求される所定厚さ以上となるように設定する。
【００３３】
最後に、前述の第１実施形態において、前記外パネル板５をガラスパネル板としているが、複数のパネル構造体を配列してブースを構成した際に、パネル構造体の開口には他のブースを構成するパネル構造体の外側面、即ち外パネル板５としてのガラスパネル板が面する。従って、前記内パネル板４と外パネル板５の間の空間１０内に情報伝達手段（図示せず）を設け、該外パネル板であるガラスパネル板を通して情報伝達手段の表示部が見えるように設定することが好ましい。この情報伝達手段によって、放射線を発する受診者がむやみにブース外へ出たり、医療関係者が待機室あるいは待合室内に出入することなく受診者に診療順番、経路等を確実に伝達することができるようになる。情報伝達手段としては、液晶表示パネルあるいは発光ダイオードの表示板等からなるフラットディスプレイを用いることができる。
【図面の簡単な説明】
【００３４】
【図１】本発明の放射線遮蔽パネル装置を用いた施工例を示す斜視図である。
【図２】本発明の第１実施形態の放射線遮蔽パネル装置を示す正面図であり、右半分は外側面を、左半分は内側面を示している。
【図３】同じく要部の横断面図である。
【図４】同じく要部の縦断面図である。
【図５】支柱の側面図である。
【図６】同じく支柱部分の縦断面図である。
【図７】本発明の第２実施形態の放射線遮蔽パネル装置を示す正面図である。
【図８】同じく要部の横断面図である。
【図９】同じく要部の縦断面図である。
【図１０】本発明の第３実施形態の放射線遮蔽パネル装置を示す正面図である。
【図１１】同じく要部の横断面図である。
【図１２】同じく要部の縦断面図である。
【符号の説明】
【００３５】
Ａ  単位間仕切パネル      Ｂ  ブース
Ｃ  開口                  Ｄ  通路
１  支柱                  ２  巾木
３  上部連結杆            ４  内パネル板
５  外パネル板            ６  放射線遮蔽板
６Ａ  複合ボード          ７  笠木
８  側カバー              ９  アジャスター
９Ａ  アジャスター受け    ９Ｂ  アジャスターボルト
１０  空間                １１  開口部
１２  凹溝                １３  固定片
１４  連結金具            １５  嵌合片
１６  係止具              １７  保持金具
１７Ａ  保持片            １７Ｂ  保持片
１８  芯材                １９  ガラス板
２０  保持枠              ２１  折返片
２２  フレキシボード      ２３  内挿部材
【図１】
2006275610.tif 000003
【図２】
2006275610.tif 000004
【図３】
2006275610.tif 000005
【図４】
2006275610.tif 000006
【図５】
2006275610.tif 000007
【図６】
2006275610.tif 000008
【図７】
2006275610.tif 000009
【図８】
2006275610.tif 000010
【図９】
2006275610.tif 000011
【図１０】
2006275610.tif 000012
【図１１】
2006275610.tif 000013
【図１２】
2006275610.tif 000014